(57)【要約】［課題］    操作が簡単で安全な携帯便利な椅子兼用杖を提供する。［解決手段］    杖として使用する時は握りになる腕木の部分と、外見上一本の棒になる杖本体部分とを台座で一体化した。これを椅子として使用する時はワンタッチで腕木の部分を座面シートの支持体にし、脚本体部を椅子の脚に変える兼用杖。この兼用杖の杖本体部は中心部の支柱とこの支柱を取り巻く複数本の脚からなり、支柱と脚の上部は支持体の台座に取り付けてある。支柱の内部には作動棒を設けた。この作動棒に連動して上下する開閉具と水平方向に開き脚を開閉するリンク棒があり、作動棒の最下部には杖として使う時に脚を嵌入し一本の棒状に固定する把持部を取り付けた。把持部の先端には杖の長さを調節するための調整部と石突を付けてこれを保護する。握りと座面になる腕木の部分はヒンジで台座に取り付けた開脚式椅子兼用杖。【選択図】      図１
2004344609.tif 000002
【特許請求の範囲】
【請求項１】
歩行補助具の杖と携帯用の簡易椅子の機能を兼ね備え椅子として使用する際の脚になる杖本体部と、座部となる腕木の部分から構成されるこの兼用杖において、杖の本体部分は内部にスプリングを収めた支柱（５）と、その外周部に設けた複数本の脚（４）を有し、前記支柱（５）の上部には脚（４）と腕木（１）との接続用の台座（３）を設ける。一対で構成され腕木（１）は台座（３）にヒンジで取り付け、腕木（１）を水平方向に展開して座面（２）を展開する支持体となり，杖としてして使用する時には腕木（１）を引き起こし最上端は握りとなる。
前記支柱（５）の内部にはスプリングと上下に自由に動く作動棒（７）を収め開閉具（９）とリンク棒（８）を介して脚の開閉を行うと共に、再下部の把持具（１０）を操作する開脚式携帯椅子兼用杖である。
【請求項２】
把持具（１０）に嵌入し固定された脚（４）はこの把持具を引き下げることにより解除された後、スプリング（６）の力を介し作動棒（７）に付随する突起（７ａ）で押し上げられる開閉具（９）と水平方向に開くリンク棒（８）の働きで開脚するようにした請求項１に記載の携帯椅子兼用杖。
【発明の詳細な説明】
【０００１】
［発明の属する技術分野］
本発明は歩行時の補助具の杖として使用できると同時に、椅子としての機能を持たせた携帯椅子兼用杖に関するものである。
【０００２】
［従来の技術］
現在市販されている携帯用の椅子を兼ねた杖をたまに見る機会があるがその多くは椅子としての機能に疑問を感じる。強度や安定性に不安を感じたり、スマートさに欠ける、重そうだ、など使用上の問題点が多い。
例えば、特開２０００−３７２１５号公報に記載の「多目的椅子」では杖の握りの部分がそのまま腰掛けになり、腰掛けたときの安定感や快適に使用するという点では疑問を感じる。また、三脚部分も安定感がなく体重を支えるためにはかなりの重量になると考えられる。
次に、特開２００１−２５４０５公報に記載の「折りたたみ式＆イス器具」は全体的にひ弱で人間の体重を支えられるとは思えない。他にも一本足であったり、盆のような座面を取り付け三本足を広げた儘で使用する兼用椅子も市販されているがスマートさに欠け大袈裟で満足して使用できるとは思えない。
【０００３】
高齢化社会を迎えて簡易椅子を兼ねた杖は便利なだけではなく、健康上の理由からも期待される。また、魚釣りや野外観察等の道具として多くの分野での潜在需要が見込まれる。
【０００４】
［問題を解決しようとする課題］
本発明は上記のような事情から、安全で取り扱いが容易、どんな場所へ行く時にでも携帯できるスマートな椅子兼用の杖を新規に提供することを目的とするものである。
【０００５】
［問題を解決するための手段］
本発明は、本来の目的である歩行用補助具の杖に簡易椅子としての機能を付加し、椅子として使用する時は脚になる本体部と、杖の時は握りに、椅子の時は座部になる腕木で構成される多目的兼用杖に関するものである。
前記杖の本体部は中心部の支柱と、支柱の周囲を取り巻く複数本の脚を有し、支柱を固定し脚の上端部の支持体になる台座を設けた。
また、台座は座面を水平方向に展開する一対の腕木をヒンジで取り付ける支持体になる。
前記支柱の内部にはスプリングと作動棒を内蔵し、作動棒は脚内部のリンク棒で連結された開閉具を上下に操作しこの動きに連動させて脚の開閉を行うものである。杖として使用する閉脚時に脚を支柱に沿って固定するために連結棒の下部に脚を筬入し固定する把持具を設けた。
この構造の携帯用椅子は操作が簡単、軽量で安全、携帯に便利であり安価に提供することができる。
【０００６】
［発明の実施の形態］
以下に、本発明を更に詳細に説明する。
図１は本発明の椅子兼用杖の一実施例の正面図である、椅子として使用する際に腕木１および脚４を開いた状態を示したものである。この椅子兼用杖を杖として使用する時は、図２で一部縦断側面図で示すように、上部の一対の腕木１を閉じて握りとし、下部の３本の脚４を支柱５に沿って閉じ一本の棒状にして（杖本体部）、杖にする。
椅子として使用する時は、図１で示すように本体上部の２本の腕木１を各々ほぼ水平方向に開いて、間に挟み込んだ座面２を展開しシートとする。脚部の展開は把持具１０を引き下げ拘束された脚４を解放し、スプリング６によって上に引き上げられる開閉具９とリンク棒８の水平方向に開く力で脚４は押し広げられて三脚状になり本体部は座面を支える脚となる。
【０００７】
腕木１には横棒１ａにシートを張り渡し、腕木１をほぼ水平方向に開き座面２になる、一対の腕木１はヒンジで台座３に取り付ける。腕木１を垂直に立てると腕木１は座面２のシートを間に挟み込んで杖の握りになる。図示しないが適宜この握りの部分には革を巻いたり、プラスチックの握りカバー等を付けて一体化し固定する事も可能だ。台座３は腕木１を水平方向に開いて座面２に体重が加わった時その荷重を支える役割を担う。
【０００８】
杖本体部は支柱５と、支柱５を取り囲む脚４からなる。図示の脚４は３本であるが特にこれに限定されない。３本の脚４の場合はパイプを縦に３分割したものを使用することで、各々の脚４の断面は円弧状である。これは脚を閉じた時複数本の脚４は支柱５を包み込む形になり、形は円柱状になるので杖として見た目もよく、強度もあり使用上のメリットは多い。
支柱５にはスプリング６と作動棒７を内蔵し、最下部には作動棒７の貫通孔を設けた。
脚４を三脚状に展開するには、支柱５に内蔵されたスプリング６と作動棒７の力を介して上下する開閉具９とリンク棒８により行う。作動棒７は支柱５と同じ径を持つ開閉具９の貫通穴より細く作られているが下部のヒンジ部分７ａは貫通孔より太くなっており、再下部には把持具１０が取り付けられている。
把持具１０を脚先端部の滑止め４ａより更に下に引き下げることで棒状に固定されていた脚４は解放される、同様に固定されていた作動棒７は自由になりスプリング６の力で上方向に引き上げられる。これに連動して開閉具９も作動棒のヒンジ７ａで支柱５の底部まで押し上げられると共に、リンク棒８は脚４を水平方向に押し拡げて安定した三脚になる。
【０００９】
図２は本発明の椅子兼用杖を杖として使用するときの状態を示す一部縦断面図である。前にも述べたが、一対の腕木１を垂直に立てて一体化し、図示してはいないがカバー等を付けて杖の握りにする。
三脚状の脚４を閉じ棒状にするには、脚の先端に取り付けた滑り止め４ａ先端部まで把持具１０を引き下げ一体化して把持具内部に嵌入して固定する事で一本の棒状の杖本体部になる。この時滑り止め４ａの先端と把持具１０の接触面を密着させて、開閉具９と作動棒ヒンジ７ａとの間に間隙部を設けておく。これは杖として使用する時地面からの衝撃を脚４で受け止め、開閉具９とリンク棒８への悪影響を防ぐための措置である。
この把持具１０による固定方法はワンタッチで脚の開閉ができ、使用中に不用意に開くおそれもなく、杖としても安全で携行に便利である。
把持具１０には調整部１１を挿入できるようにし、これの長短で使用する人の要望に合わせて杖の長さを調節する。先端部の石突きは調節部を保護し滑り止めの役割を果たす物である。
【００１０】
図３は腕木１を水平方向に開いた状態を真上から見た平面図である。
座面２が開きシートが形成される。
図４は図１のＩＶ−ＩＶ線を上から見た図である。中心部に作動棒７が上下できる貫通孔を有する開閉具９と、脚４の支持具８ａとの間にリンク棒８を取り付けて脚４を三脚に展開したものである。この図では狭い脚本体の内部で脚４を水平方向に押し拡げ易いように（図２参照）リンク棒８を斜めにセッティングするため、棒の両端は偏心して取り付けた球状の支持部にし脚４と開閉具９とを連結した。なお、この球形部分はここに集中する大きな荷重を分散するメリットもある。球の代わりに丸棒状でも、単に一本の棒の両端をボルトやピンで止めることも可能である。
この図では脚４は３本で構成したが、４本あるいは６本等と必ずしも３本に拘る必要は無い。
【００１１】
［発明の効果］
上記のような機能と構造を有する本発明の椅子兼用杖は、一本の棒状にでき、他人の目に違和感を与えずフォーマルな場所でも安心して使用できる。全体の構造も簡単で軽量、杖として使う時にも、椅子として使う時にもワンタッチで変換でき、気楽に携行できる使い勝手の良い物になる。
【図面の簡単な説明】
【図１】本発明における携帯用椅子兼用杖を、椅子として使用する時の状態を示す正面図である。
【図２】本発明における携帯用椅子兼用杖を、杖として使用する時の状態を示す一部縦断面図である。
【図３】本発明における携帯用椅子兼用杖を、椅子として使用する時の腕木部分の平面図である。
【図４】本発明における携帯用椅子兼用杖の図１のＩＶ−ＩＶ線の上から見た断面図である。
【符号の解説】
１  腕木
２  座面
３  台座
４  脚
５  支柱
６  スプリング
７  作動棒
８  リンク棒
９  開閉具
１０  把持具
１１  調整部
１２  石突
【図１】
2004344609.tif 000003
【図２】
2004344609.tif 000004
【図３】
2004344609.tif 000005
【図４】
2004344609.tif 000006